(57)【要約】【課題】第１媒体よりも幅狭の第２媒体を良好に搬送することができる、画像読取装置を提供する。【解決手段】カード導入口１２１から導入されるカードは、延出部１６３上を搬送されて、延出部１６３上から本体部１６２上に移る。延出部１６３が本体部１６２から延出しているので、カードが延出部１６３上から本体部１６２上に移るときに、カードがＣＩＳホルダ６１に引っかかることを抑制できる。そのため、カードのジャムが発生することを抑制できる。その結果、カードを良好に搬送することができる。延出部１６３は、前後方向におけるカード導入口１２１の位置まで前側に延出している。これにより、カードは、カード導入口１２１への挿入の直後から延出部１６３上を搬送される。そのため、カードが延出部１６３上に達するまでに他の部材に引っかかることを抑制でき、カードをより良好に搬送することができる。【選択図】図７
2014099825.tif 000002
【特許請求の範囲】
【請求項１】
第１筐体と前記第１筐体の下方に位置する第２筐体とを備え、
前記第１筐体と前記第２筐体との間において、第１方向の一方側に形成され、第１媒体が導入されるように構成される第１導入口と、
前記第１筐体と前記第２筐体との間において、前記第１方向の他方側に形成され、前記第１媒体が排出されるように構成される第１排出口と、
前記第１筐体と前記第２筐体との間において、前記第１排出口と一部重複して形成され、前記第１媒体よりも幅狭の第２媒体が導入されるように構成される第２導入口と、
前記第１筐体と前記第２筐体との間において、前記第１排出口と連接して形成され、前記第１方向に延び、前記第１媒体および前記第２媒体が搬送されるように構成される共通搬送路と、が形成された筐体と、
前記第１媒体および前記第２媒体に形成されている画像を読み取るように構成される読取部と、
前記読取部を保持し、前記第２筐体の前記共通搬送路の下方に設けられる保持部と、を備え、
前記保持部は、前記第１方向に直交する第２方向における前記第２導入口と同じ位置において前記第１方向の前記他方側に延出する延出部を備える、画像読取装置。
【請求項２】
前記保持部には、上方へ開放されて形成される第１凹部が形成され、
前記第１凹部には、コンタクトガラスが配置され、
前記読取部は、前記コンタクトガラスの下方に設けられ、
前記コンタクトガラスの上面と前記延出部の上面とは、前記第１方向および前記第２方向により規定される同一平面上に位置する、請求項１に記載の画像読取装置。
【請求項３】
前記保持部は、上方に開放されて、前記第２筐体に形成された第２凹部に収納され、
前記第２筐体は、前記第２方向における前記延出部の両外側に設けられた第１縁部および第２縁部を備え、
前記第２方向における前記第１縁部の長さと前記第２方向における前記第２縁部の長さと前記第２方向における前記延出部の長さとの和は、前記第２方向における前記保持部の長さと一致する、請求項１または２に記載の画像読取装置。
【請求項４】
前記延出部には、前記第２方向の他方側から前記第１方向の一方側へ向けて切り欠かれた切欠が形成され、
前記第２方向において前記切欠内に設けられ、前記第２導入口から導入された前記第２媒体を前記共通搬送路へ導入するように構成される導入ローラを備える、請求項１〜３のいずれか一項に記載の画像読取装置。
【発明の詳細な説明】
【技術分野】
【０００１】
本発明は、画像読取装置に関する。
【背景技術】
【０００２】
特許文献１に開示されている画像読取装置は、筐体を備えている。筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの表面の画像が読み取られる。
【０００４】
また、特許文献１に開示されている画像読取装置は、シートよりも幅狭で肉厚のカードに描かれている画像をも読み取ることができる。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
導入口から導入されるシートを良好に搬送するために、画像読取ユニットの上面は、画像読取ユニットよりも排出口側の搬送路の上面と同一平面上に配置されるか、または、それよりも高い位置に配置される。
【０００８】
しかしながら、前述の構成では、排出口の一部がカードを導入するカード導入口を兼ねている。そのため、画像読取ユニットの上面が排出口側の搬送路の上面よりも高い位置に配置されていると、カードがカード導入口から導入されるときに、画像読取ユニットの上面と画像読取ユニットよりも排出口側の搬送路の上面との段差にカードが引っかかり、カードがジャムを起こすおそれがある。
【０００９】
本発明の目的は、シート等の第１媒体よりも幅狭のカード等の第２媒体を良好に搬送することができる、画像読取装置を提供する。
【課題を解決するための手段】
【００１０】
前記の目的を達成するため、本発明に係る画像読取装置は、第１筐体と前記第１筐体の下方に位置する第２筐体とを備え、前記第１筐体と前記第２筐体との間において、第１方向の一方側に形成され、第１媒体が導入されるように構成される第１導入口と、前記第１筐体と前記第２筐体との間において、前記第１方向の他方側に形成され、前記第１媒体が排出されるように構成される第１排出口と、前記第１筐体と前記第２筐体との間において、前記第１排出口と一部重複して形成され、前記第１媒体よりも幅狭の第２媒体が導入されるように構成される第２導入口と、前記第１筐体と前記第２筐体との間において、前記第１排出口と連接して形成され、前記第１方向に延び、前記第１媒体および前記第２媒体が搬送されるように構成される共通搬送路と、が形成された筐体と、前記第１媒体および前記第２媒体に形成されている画像を読み取るように構成される読取部と、前記読取部を保持し、前記第２筐体の前記共通搬送路の下方に設けられる保持部と、を備え、前記保持部は、前記第１方向に直交する第２方向における前記第２導入口と同じ位置において前記第１方向の前記他方側に延出する延出部を備える。
【００１１】
この構成によれば、第２導入口から導入される第２媒体は、延出部上を搬送されて、延出部上から保持部上に移る。延出部が保持部から延出しているので、第２媒体が延出部上から保持部上に移るときに、第２媒体が保持部に引っかかることを抑制できる。そのため、第２媒体のジャムが発生することを抑制できる。その結果、第２媒体を良好に搬送することができる。
【００１２】
保持部には、上方へ開放されて形成される第１凹部が形成され、第１凹部には、コンタクトガラスが配置され、読取部は、コンタクトガラスの下方に設けられ、コンタクトガラスの上面と延出部の上面とは、第１方向および第２方向により規定される同一平面上に位置していてもよい。
【００１３】
コンタクトガラスの上面と延出部の上面とが同一平面上に位置するため、延出部上を搬送される第２媒体がコンタクトガラスに引っかかることを抑制できる。また、共通搬送路を搬送される第１媒体がコンタクトガラス上から延出部上に移るときに、第２媒体が延出部に引っかかることを抑制できる。その結果、第１媒体および第２媒体を良好に搬送することができる。
【００１４】
保持部は、上方に開放されて、第２筐体に形成された第２凹部に収納され、第２筐体は、第２方向における延出部の両外側に設けられた第１縁部および第２縁部を備え、第２方向における第１縁部の長さと第２方向における第２縁部の長さと第２方向における延出部の長さとの和は、第２方向における保持部の長さと一致していてもよい。
【００１５】
これにより、第１縁部と延出部との間および第２縁部と延出部との間に隙間が生じることを抑制できる。そのため、第２媒体が延出部上を搬送されるときに、第２媒体が第１縁部および第２縁部に引っかかることを抑制できる。その結果、第２媒体を一層良好に搬送することができる。
【００１６】
延出部には、第２方向の他方側から第２方向の一方側へ向けて切り欠かれた切欠が形成され、第２方向において切欠内に設けられ、第２導入口から導入された第２媒体を共通搬送路へ導入するように構成される導入ローラを備えていてもよい。
【００１７】
導入ローラにより、第２媒体を共通搬送路に導入することができる。
【発明の効果】
【００１８】
本発明によれば、第２媒体を良好に第２導入口に導入することができる。
【図面の簡単な説明】
【００１９】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバーが開かれるとともに、上部筐体１４がメンテナンス位置に配置された状態を示す。
【図４】図４は、下部筐体１３の前端部におけるカード導入口１２１の近傍の平面図である。
【図５】図５は、画像読取装置１の断面図である。
【図６】図６は、シート排出口２０２とカード導入口１２１とが少なくとも一部において重複していることを概略的に示すための説明図である。
【図７】図７は、画像読取装置１の下部筐体１３におけるカード導入口１２１の近傍を概略的に示す説明図である。
【図８】図８は、画像読取装置１の下部筐体１３における前側部分を上方から見て概略的に示した説明図である。
【発明を実施するための形態】
【００２０】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００２１】
＜外観＞
【００２２】
画像読取装置１は、筐体２およびカバー３を備えている。
【００２３】
＜筐体＞
【００２４】
筐体２は、左側板部１１、右側板部１２、下部筐体１３および上部筐体１４を備えている。
【００２５】
左側板部１１および右側板部１２は、左右方向に間隔を空けて配置されている。
【００２６】
下部筐体１３および上部筐体１４は、左側板部１１と右側板部１２との間に配置されている。
【００２７】
下部筐体１３は、左側板部１１および右側板部１２に取り付けられている。下部筐体１３は、前端部側において、第１縁部１６５Ｌ及び第２縁部１６５Ｒを備える。
【００２８】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００２９】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に一段凹んだ位置に位置する。
【００３０】
また、上部筐体１４は、メンテナンス位置で、下部筐体１３に対して前側に展開して、下部筐体１３の前端部上から前上方に延びる。
【００３１】
＜カバー＞
【００３２】
カバー３は、上カバー２１および前カバー２２を備えている。
【００３３】
上カバー２１の基端部は、筐体２の左側板部１１および右側板部１２の後上端部に回動可能に支持されている。これにより、上カバー２１は、図１Ａおよび図１Ｂに示される閉位置と図２に示される開位置との間で回動可能に設けられている。
【００３４】
上カバー２１は、閉位置で、下部筐体１３および上部筐体１４に上方から重なる。
【００３５】
また、上カバー２１は、開位置で、筐体２の後上端部から後上方に延びる。
【００３６】
前カバー２２は、図１Ａに示される屈曲位置と図２に示される伸張位置との間で回動可能に設けられている。
【００３７】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。シートＳＨは、たとえば、用紙やＯＨＰシート等である。
【００３８】
下部筐体１３の後端縁３１は、下部筐体１３の前端縁３２よりも高い位置に位置している。下部筐体１３は、図３および図５に示されるように、傾斜部３３と平坦部３４とを有している。傾斜部３３は、後端縁３１から前端縁３２と同じ高さの位置まで前下方に延びる。平坦部３４は、傾斜部３３から前端縁３２まで延びる。
【００３９】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図５に示されるように、傾斜部７３と、平坦部７４とを有している。傾斜部７３は、後端縁７１から前端縁７２と同じ高さの位置まで、傾斜部３３と平行をなして前下方に延びる。平坦部３４は、傾斜部７３から前端縁７２まで下部筐体１３の平坦部３４と平行をなして延びる。
【００４０】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００４１】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００４２】
画像読取装置１は、供給ローラ４１、分離片８１、ＬＦローラ４２、ＬＦピンチローラ８２、カードＬＦローラ４３、カードＬＦピンチローラ８３、排出ローラ４４、排出ピンチローラ８４、カード排出ローラ４５およびカード排出ピンチローラ８５を備えている。
【００４３】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００４４】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である。
【００４５】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図５に示されるように、ＬＦローラ４２の周面に上方から当接している。ＬＦローラ４２が回転駆動されると、ＬＦピンチローラ８２がＬＦローラ４２に従動して回転される。
【００４６】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９１に取り付けられている。カードＬＦピンチローラ８３の２つのピンチローラの周面は、図５に示されるように、それぞれ下部筐体１３のカードＬＦローラ４３の周面の左側および右側に微小な間隔を空けて隣接する。
【００４７】
また、画像読取装置１は、図３および図５に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００４８】
ＣＩＳホルダ６１は、第２筐体の一例としての下部筐体１３の図５に示される共通搬送路１２５の下方に設けられる保持部の一例である。ＣＩＳホルダ６１は、下部筐体１３の平坦部３４に形成された第２凹部の一例としての凹部６４に収容されている。凹部６４は、図３に示されるように、第１領域６４Ａおよび第２領域６４Ｂを含む。第１領域６４Ａは、第２領域６４Ｂより後方に位置する。第１領域６４Ａは、下部筐体１３の図５に示す前側面６４１、後側面６４２、下面６４５並びに図３に示す左側面６４３及び右側面６４４などにより形成される空間である。第２領域６４Ｂは、図７に示す第１縁部１６５Ｌの側面６４７、第２縁部１６５Ｒの側面６４８及び下面６４９などにより形成される空間である。
【００４９】
ＣＩＳホルダ６１は、本体部１６２および延出部１６３を備えている。
【００５０】
本体部１６２は、前側板６２１、後側板６２２、左側板６２３、右側板６２４および底板６２５を有している。前側板６２１は、左右方向に延びている。後側板６２２は、前側板６２１の後方に間隔を空けて、前側板６２１と左右方向に同じ位置で、前側板６２１と平行に延びている。左側板６２３は、前側板６２１および後側板６２２の各左端縁を連結している。右側板６２４は、前側板６２１および後側板６２２の各右端縁を連結している。底板６２５は、前側板６２１、後側板６２２、左側板６２３および右側板６２４の各下端縁間に架設されている。これにより、本体部１６２には、前側板６２１、後側板６２２、左側板６２３、右側板６２４および底板６２５に囲まれる第１凹部の一例としての凹部６２６が形成されている。
【００５１】
本体部１６２は、凹部６４の第１領域６４Ａに収容されている。前側板６２１、後側板６２２、左側板６２３および右側板６２４は、それぞれ下部筐体１３の前側面６４１、後側面６４２、左側面６４３および右側面６４４に接している。
【００５２】
延出部１６３は、本体部１６２と一体的に形成されている。延出部１６３は、本体部１６２の前側板６２１に連結している。延出部１６３は、本体部１６２の右端部側において、前側板６２１から前方に延びている。延出部１６３は、第２導入口の一例としての後述するカード導入口１２１と左右方向において同じ位置で前側に延出している。延出部１６３は、前後方向におけるカード導入口１２１の位置まで前側に延出している。すなわち、延出部１６３は、図７に示すように下側筐体１３の前端縁３２の位置まで延びている。これにより、カード導入口１２１に挿入されたカードＣＡは、その挿入の直後から延出部１６３上を搬送される。そのため、カード導入口１２１に挿入されたカードＣＡが延出部１６３上に達するまでに他の部材に引っかかることを抑制できる。その結果、カードＣＡをより良好に搬送することができる。延出部１６３の左右方向における長さＬ１は、カード導入口１２１の左右方向における長さと同一である。これにより、カード導入口１２１から導入されたカードＣＡが延出部１６３と左右方向に隣接する第１縁部１６５Ｌおよび第２縁部１６５Ｒに引っかかることを抑制できる。その結果、カードＣＡを一層良好に搬送することができる。なお、図８に示すように延出部１６３が左右方向に複数設けられる場合、「延出部１６３の左右方向における長さ」は、例えば、左側の延出部１６３の左端縁から右側の延出部１６３の右端縁までの左右方向における距離である。延出部１６３の上面は、前側板６２１の上端面に連続している。
【００５３】
延出部１６３は、凹部６４の第２領域６４Ｂに収容されている。延出部１６３の左端面および右端面は、それぞれ第１縁部１６５Ｌの側面６４７および第２縁部１６５Ｒの側面６４８に接している。言い換えれば、第１縁部１６５Ｌ及び第２縁部１６５Ｒは、左右方向において延出部１６３の両外側に設けられている。延出部１６３の上面は、図７に示すように、第１縁部１６５Ｌおよび第２縁部１６５Ｒの上面と同一平面Ｆ上に配置されている。図８に示すように、左右方向の延出部１６３の長さをＬ１、第１縁部１６５Ｌの長さをＬ２、第２縁部１６５Ｒの長さをＬ３、ＣＩＳホルダ６１の長さをＬ４とすると、左右方向において、延出部１６３の長さＬ１、第１縁部１６５Ｌの長さＬ２および第２縁部１６５Ｒの長さＬ３の和は、ＣＩＳホルダ６１の長さＬ４と一致している。後述するカード導入口１２１の左右方向における長さは、延出部１６３の左右方向における長さＬ１に等しい。延出部１６３の前端縁は、後述するカード導入口１２１と前後方向および左右方向における位置が一致している。
【００５４】
ＣＩＳユニット６２は、ＣＩＳホルダ６１に上方へ開放されて形成された凹部６２６に収容されている。ＣＩＳユニット６２の内部には、たとえば、ＬＥＤ光源、レンズおよびイメージセンサが設けられている。コンタクトガラス６３は、無色透明の樹脂からなる。コンタクトガラス６３は、前側板６２１、後側板６２２、左側板６２３および右側板６２４の上端部に上方から当接して、凹部６２６を閉塞している。コンタクトガラス６３の上面は、図７に示されるように、延出部１６３の上面と同一平面Ｆにて配置されている。
【００５５】
すなわち、ＣＩＳユニット６２は、コンタクトガラス６３の下方に設けられている。
【００５６】
ＣＩＳホルダ１０１は、上部筐体１４の平坦部７４に形成された凹部１０４に収容されている。
【００５７】
ＣＩＳホルダ１０１は、前側板１０２１、後側板１０２２、左側板１０２３、右側板１０２４および底板１０２５を有している。前側板１０２１は、左右方向に延びている。後側板１０２２は、前側板１０２１の後方に間隔を空けて、前側板１０２１と左右方向に同じ位置で、前側板１０２１と平行に延びている。左側板１０２３は、前側板１０２１および後側板１０２２の各左端縁を連結している。右側板１０２４は、前側板１０２１および後側板１０２２の各右端縁を連結している。底板１０２５は、前側板１０２１、後側板１０２２、左側板１０２３および右側板１０２４の各上端縁間に架設されている架設板である。これにより、ＣＩＳホルダ１０１には、前側板１０２１、後側板１０２２、左側板１０２３、右側板１０２４および底板１０２５に囲まれる凹部１０２６が形成されている。
【００５８】
ＣＩＳホルダ１０１は、凹部１０４に収容されている。前側板１０２１、後側板１０２２、左側板１０２３および右側板１０２４は、それぞれ上部筐体１４の前側面１０４１、後側面１０４２、左側面１０４３および右側面１０４４に接している。
【００５９】
ＣＩＳユニット１０２は、ＣＩＳホルダ１０１に下方へ開放されて形成された凹部１０２６に収容されている。ＣＩＳユニット１０２の内部には、たとえば、ＬＥＤ光源、レンズおよびイメージセンサが設けられている。コンタクトガラス１０３は、無色透明の樹脂からなる。コンタクトガラス１０３は、前側板１０２１、後側板１０２２、左側板１０２３および右側板１０２４の下端部に下方から当接して、凹部１０２６を閉塞している。
【００６０】
ＬＦローラ４２およびＬＦピンチローラ８２により搬送されるシートＳＨの両面の画像は、第１読取部１００および第２読取部６０により読み取られる。
【００６１】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのローラは、回転軸５６に取り付けられている。排出ローラ４４の各ローラは、ＣＩＳホルダ６１の延出部１６３に形成された切欠１６４内に配置されている。排出ピンチローラ８４は、２つのピンチローラを備える。排出ピンチローラ８４の２つのピンチローラは、回転軸９４に取り付けられている。排出ピンチローラ８４の周面は、図５に示されるように、排出ローラ４４の周面に上方から当接している。排出ローラ４４が回転駆動されると、排出ピンチローラ８４が排出ローラ４４に従動して回転される。
【００６２】
カード排出ローラ４５およびカード排出ピンチローラ８５は、ＣＩＳユニット１０２およびＣＩＳユニット６２のシート搬送方向下流側に位置する。カード排出ローラ４５は、ＣＩＳホルダ６１において延出部１６３の切欠１６４内に設けられている２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図５に示されるように、カード排出ローラ４５の周面に上方から当接している。カード排出ローラ４５が回転駆動されると、カード排出ピンチローラ８５は、カード排出ローラ４５に従動して回転される。
【００６３】
＜カード搬送路＞
【００６４】
画像読取装置１では、シートＳＨよりも幅狭の第２媒体の一例としてのカードＣＡに描かれている画像を読み取ることができる。カードＣＡは、用紙等よりも幅狭で肉厚な媒体である。カードＣＡは、たとえば、名刺、キャッシュカード、会員証または免許証等である。
【００６５】
カードＣＡの画像の読み取りのために、図２に示されるように、カード導入口１２１がシート排出口２０２におけるカード排出ローラ４５およびカード排出ピンチローラ８５と前後方向に重なる部分に形成されている。本実施形態において、カード導入口１２１の下側の一部が、図６に示すように、シート排出口２０２の右側の一部と重複している。シートＳＨおよびカードＣＡの両方が、この重複部分ＯＬを通過可能である。カード導入口１２１の左右方向の幅は、延出部１６３の左右方向の幅と同一である。また、カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも大きく、その長辺の長さ（８５．６０ｍｍ）よりも小さい。
【００６６】
第２搬送路の一例としてのカード搬送路１２４が、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。
【００６７】
また、下部筐体１３の上面１３Ｕの平坦部３４と上部筐体１４の下面１４Ｂの平坦部７４との間の空間は、シートおよびカードの両方が搬送される共通搬送路１２５である。
【００６８】
図３および図５に示されるように、カード通過口１２２が下部筐体１３の傾斜部３３の前下端部と平坦部３４との間において、カード導入口１２１と前後方向に重なる位置に形成されている。
【００６９】
カード搬送路１２４の前端部は、カード導入口１２１に接続されている。また、カード通過口１２２は、カード搬送路１２４の途中に設けられている。共通搬送路１２５は、カード通過口１２２により、下部筐体１３の傾斜部３３の下方の空間と連通している。したがって、カード通過口１２２を通して、カードＣＡは、共通搬送路１２５と下部筐体１３の傾斜部３３の下方とを行き来することができる。
【００７０】
＜シート画像の読み取り＞
【００７１】
画像読取装置１におけるシートＳＨの画像の読み取りの際には、図２および図５に示されるように、上カバー２１が開位置に配置されるとともに、前カバー２２が伸張位置に配置される。そして、開位置の上カバー２１および伸張位置の前カバー２２がなすトレイ上に、シートＳＨが載置される。また、トレイ４は、閉位置に位置される。上カバー２１が開位置に変位されたことが、非図示のセンサにより検知される。上カバー２１が開位置に変位されると、シートＳＨを搬送可能なシート読取モードとなる。シート読取モードとなり、非図示の読取ボタン等がユーザに押されると、供給ローラ４１等が右側から見て反時計回りに回転され、シートＳＨの画像の読取が実行される。
【００７２】
トレイ上に載置されるシートＳＨは、その先端部が供給ローラ４１および分離片８１に当接するまで、シート導入口２０１内に差し込まれる。
【００７３】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２およびＬＦピンチローラ８２に向けて搬送される。シートＳＨの先端部が供給ローラ４１と分離片８１との間に挟まれたときに、シートＳＨが１枚ずつに分離され、１枚のシートＳＨが供給ローラ４１と分離片８１との間を通過し得る。
【００７４】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３の周面の当接部分に到達すると、ＬＦローラ４２およびカードＬＦローラ４３により、シートＳＨに搬送力が付与される。
【００７５】
ＬＦローラ４２，ＬＦピンチローラ８２およびカードＬＦローラ４３、カードＬＦピンチローラ８３間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【００７６】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００７７】
排出ローラ４４、排出ピンチローラ８４およびカード排出ローラ４５，カード排出ピンチローラ８５間を搬送されるシートＳＨは、シート排出口２０２を通過して、筐体２外に排出される。
【００７８】
＜カード画像の読み取り＞
【００７９】
カードＣＡの画像の読み取りの際には、カードＣＡの短辺を先頭として、すなわちカードＣＡの短辺が左右方向に沿わされて、カードＣＡがカード導入口１２１内に挿入される。このとき、カードＣＡの下面は、ＣＩＳホルダ６１の延出部１６３の上面と接している。
【００８０】
カード導入口１２１内にカードＣＡが挿入されると、カード排出ローラ４５が右側から見て時計回りに回転される。カード排出ピンチローラ８５は、カード排出ローラ４５の回転に伴って、右側から見て反時計回りに回転する。カード排出ローラ４５，カード排出ピンチローラ８５からカードＣＡに搬送力が付与され、そのカードＣＡがカード排出ローラ４５の周面とカード排出ピンチローラ８５の周面との間に引き込まれる。
【００８１】
カードＣＡは、ＣＩＳホルダ６１の延出部１６３の上面を搬送された後に、第１読取部１００と第２読取部６０との間を通過する。
【００８２】
カードＬＦローラ４３は、カード排出ローラ４５の回転開始と同時に、右側から見て時計回りに回転される。カードＬＦピンチローラ８３は、カードＬＦローラ４３の回転に伴って、右側から見て反時計回りに回転する。第１読取部１００と第２読取部６０との間を通過したカードＣＡの先端部がカードＬＦローラ４３の周面とカードＬＦピンチローラ８３の周面との間に到達すると、カードＬＦローラ４３からカードＣＡに搬送力が付与される。
【００８３】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。頭出し開口１２８は、下部筐体１３の後面１３Ｒにおけるカード通過口１２２と前後方向に重なる位置に形成されている。
【００８４】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向が反転され、後側から前側に向かう方向に搬送される。
【００８５】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【００８６】
第１読取部１００および第２読取部６０の間を通過したカードＣＡが延出部１６３の上面に沿いながら、カードＣＡの先端部がカード排出ローラ４５の周面とカード排出ピンチローラの８５の周面との当接部分に到達すると、カード排出ローラ４５からカードＣＡに搬送力が付与され、そのカードＣＡがカード排出ローラ４５の周面とカード排出ピンチローラ８５の周面との間に引き込まれる。そして、カード排出ローラ４５とカード排出ピンチローラ８５との間を搬送されるカードＣＡは、カード導入口１２１を通過して、筐体２外に排出される。
【００８７】
このように、カード導入口１２１から導入されたカードＣＡは、筐体２内をスイッチバック搬送され、カード導入口１２１から排出される。
【００８８】
＜作用効果＞
【００８９】
以上のように、ＣＩＳホルダ６１は、延出部１６３を備えている。延出部１６３は、左右方向におけるカード導入口１２１と同じ位置で前側に延出している。
【００９０】
これにより、カード導入口１２１から導入されるカードＣＡは、延出部１６３上を搬送されて、延出部１６３上から本体部１６２上に移る。延出部１６３が本体部１６２から延出しているので、カードＣＡが延出部１６３上から本体部１６２上に移るときに、カードＣＡがＣＩＳホルダ６１に引っかかることを抑制できる。そのため、カードＣＡのジャムが発生することを抑制できる。その結果、カードＣＡを良好に搬送することができる。
【００９１】
ＣＩＳホルダ６１には、上方へ開放されて形成される凹部６２６が形成され、凹部６２６には、コンタクトガラス６３が配置され、ＣＩＳユニット６２は、コンタクトガラス６３の下方に設けられ、コンタクトガラス６３の上面と延出部１６３の上面とは、前後方向および左右方向により規定される同一平面Ｆ上に位置している。
【００９２】
コンタクトガラスの上面と延出部１６３の上面とが同一平面Ｆ上に位置するため、延出部１６３上を搬送されるカードＣＡがコンタクトガラス６３に引っかかることを抑制できる。また、共通搬送路１２５を搬送されるシートＳＨがコンタクトガラス６３上から延出部１６３上に移るときに、カードＣＡが延出部１６３に引っかかることを抑制できる。その結果、シートＳＨおよびカードＣＡを良好に搬送することができる。
【００９３】
ＣＩＳホルダ６１は、上方に開放されて、下部筐体１３に形成された第１領域６４Ａに収納され、下部筐体１３は、左右方向における延出部１６３の両外側に設けられた第１縁部１６５Ｌおよび第２縁部１６５Ｒを備え、左右方向における第１縁部１６５Ｌの長さと左右方向における第２縁部１６５Ｒの長さと左右方向における延出部１６３の長さとの和は、左右方向におけるＣＩＳホルダ６１の長さと一致している。
【００９４】
これにより、第１縁部１６５Ｌと延出部１６３との間および第２縁部１６５Ｒと延出部１６３との間に隙間が生じることを抑制できる。そのため、カードＣＡが延出部１６３上を搬送されるときに、カードＣＡが第１縁部１６５Ｌおよび第２縁部１６５Ｒに引っかかることを抑制できる。その結果、カードＣＡを一層良好に搬送することができる。
【００９５】
延出部１６３には、後側から前側へ向けて切り欠かれた切欠１６４が形成され、左右方向において切欠１６４内に設けられ、カード導入口１２１から導入されたカードＣＡを共通搬送路１２５へ導入するように構成されるカード排出ローラ４５を備えている。
【００９６】
カード排出ローラ４５により、カードＣＡを共通搬送路１２５に導入することができる。
【００９７】
＜変形例＞
【００９８】
以上、本発明の一実施形態について説明したが、本発明は、他の形態で実施することもできる。
【００９９】
たとえば、前述の実施形態では、カード導入口１２１は、カードＣＡが排出されるカード排出口を兼ねており、カード導入口１２１から導入されるカードＣＡの搬送方向が途中で反転されて、カードＣＡがカード導入口１２１から排出される構成を取り上げた。しかし、これに限らず、たとえば、カード導入口１２１から導入されたカードＣＡがカード搬送路１２４を後方へ搬送され、カードＣＡが頭出し開口１２８から排出される構成が採用されてもよい。
【０１００】
カードＬＦピンチローラ８３は、２つのピンチローラを備え、カードＬＦピンチローラ８３の２つのピンチローラの周面は、それぞれ下部筐体１３のカードＬＦローラ４３の周面に左側および右側に微小な間隔を空けて隣接していた。しかし、これに限らず、たとえば、カードＬＦピンチローラ８３は、１つのピンチローラからなり、ピンチローラの周面が、下部筐体１３のカードＬＦローラ４３の周面に上方から当接していてもよい。
【０１０１】
カード導入口１２１の下側の一部が、シート排出口２０２の右側の一部と重複していた。しかし、これに限らず、たとえば、シート排出口２０２の右側の一部がカード導入口１２１であってもよい。すなわち、カード導入口１２１の全領域がシート排出口２０２に右側において含まれていてもよい。共通搬送路１２５は、カード搬送路１２４のうち、シート搬送路２０３の右側の一領域であった。しかし、これに限らず、たとえば、共通搬送路１２５の下側一部が、シート搬送路２０３の右側の一部と重複していてもよい。
【０１０２】
その他、前述の構成には、特許請求の範囲に記載された事項の範囲で種々の設計変更を施すことが可能である。
【符号の説明】
【０１０３】
１      画像読取装置
１３    下部筐体
１４    上部筐体
４５    カード排出ローラ
６０    読取部
６１    ＣＩＳホルダ
６２    ＣＩＳユニット
６３    コンタクトガラス
６４Ａ  第１領域
６４Ｂ  第２領域
１００  読取部
１０２  ＣＩＳユニット
１２１  カード導入口
１２５  共通搬送路
１６３  延出部
１６４  切欠
２０１  シート導入口
２０２  シート排出口
６２６  凹部
ＣＡ    カード
Ｆ      平面
ＳＨ    シート
【図１Ａ】
2014099825.tif 000003
【図１Ｂ】
2014099825.tif 000004
【図２】
2014099825.tif 000005
【図３】
2014099825.tif 000006
【図４】
2014099825.tif 000007
【図５】
2014099825.tif 000008
【図６】
2014099825.tif 000009
【図７】
2014099825.tif 000010
【図８】
2014099825.tif 000011